(57)【要約】【課題】イオン化傾向の違いにより生じる電流を身体に流すことができる健康具であって、経済的で、指に容易に取り付けることができる健康具の提供。【解決手段】健康具１は、合成樹脂に粒状または粉状に形成されたイオン化傾向の異なる２種類の金属を混合して分散させた筒状の樹脂体から構成されている。ここで、イオン化傾向の異なる２種類の金属の合計は、合成樹脂に対して体積比で２０〜４０％混合されている。これに加えて、２種類の金属の内の一方の金属と他方の金属との体積比が１：１とされている。このような構成の健康具１を足の指に嵌めることで、イオン化傾向の異なる２種類の金属により生じる電流を足の指の皮膚内に流すことができる。【選択図】図１
2017176259.tif 000002
【特許請求の範囲】
【請求項１】
足または手の指に嵌められる健康具であって、
筒状に形成されており、
合成樹脂に粒状または粉状に形成されたイオン化傾向の異なる２種類の金属を混合して分散させた樹脂体からなる
ことを特徴とする健康具。
【請求項２】
前記２種類の金属は、前記合成樹脂に対して体積比で２０〜４０％混合されている
ことを特徴とする請求項１に記載の健康具。
【請求項３】
前記２種類の金属の内の一方の金属と他方の金属との体積比が１：１とされる
ことを特徴とする請求項１または請求項２に記載の健康具。
【請求項４】
軸方向両端部が厚肉に形成されている
ことを特徴とする請求項１〜３のいずれか１項に記載の健康具。
【発明の詳細な説明】
【技術分野】
【０００１】
本発明は、金属間のイオン化傾向の違いにより生じる微電流を身体に流すことで、疾病の治療や健康の促進を図ることができる健康具に関するものである。特に、足または手の指に嵌めて使用される健康具に関するものである。
【背景技術】
【０００２】
下記特許文献１には、身体内部の血液を介して電流を流すことにより血行を促進する血行促進用器具が開示されている。この血行促進用器具は、イオン化傾向の小さい金属板片を具備している器具と、イオン化傾向の大きい金属板片を具備している器具とを備えており、その両器具は、所定間隔を空けて、粘着部材で身体表面に固定される。この際、血行の上流側にイオン化傾向の小さい金属板片を具備している器具が固定される一方、血行の下流側にイオン化傾向の大きい金属板片を具備している器具が固定される。これにより、起電力による電流が上流側から下流側に流れ、身体内の血行の方向と器具による電流の方向とが一致するため、血行を促進することができる。
【先行技術文献】
【特許文献】
【０００３】
【特許文献１】特許第３２８２６５３号公報
【発明の概要】
【発明が解決しようとする課題】
【０００４】
しかしながら、特許文献１に記載の血行促進用器具は、２つの器具を用いるものであり、各器具が粘着部材により身体に固定される構成であるので、身体への取り付けに手間がかかり面倒である。また、血行促進用器具は、金属板片が可撓性を有していないため、金属板片を容易に折り曲げることができず、指のように細い棒状の箇所には取り付け難いものである。さらに、血行促進用器具は、粘着部材により身体に取り付けられる構成であるので、使い捨てされるものであり、繰り返し使用することができない。
【０００５】
本発明は、このような問題に鑑みてなされたものであり、その主たる目的は、イオン化傾向の違いにより生じる電流を身体に流すことができる健康具であって、経済的で、指に容易に取り付けることができる健康具を提供することにある。
【課題を解決するための手段】
【０００６】
上記目的を達成するための本発明に係る健康具は、足または手の指に嵌められる健康具であって、筒状に形成されており、合成樹脂に粒状または粉状に形成されたイオン化傾向の異なる２種類の金属を混合して分散させた樹脂体からなることを特徴とする。
【０００７】
また、本発明に係る健康具は、前記２種類の金属は、前記合成樹脂に対して体積比で２０〜４０％混合されていることを特徴とする。
【０００８】
また、本発明に係る健康具は、前記２種類の金属の内の一方の金属と他方の金属との体積比が１：１とされることを特徴とする。
【０００９】
さらに、本発明に係る健康具は、軸方向両端部が厚肉に形成されていることを特徴とする。
【発明の効果】
【００１０】
本発明に係る健康具によれば、イオン化傾向の異なる２種類の金属を混合した合成樹脂から形成されているので、指に装着した際に、いわゆる電池と同様の化学反応が生じ、指の皮膚内に電流を流すことができる。
【００１１】
具体的には、指の表面の汗などの水分が電解質となり、イオン化傾向の小さい方の金属が正極となる一方、イオン化傾向の大きい方の金属が負極となる。イオン化傾向の大きい方の金属の負極が電子を放出し、イオン化傾向の小さい金属の正極が電子を受け取るという反応が生じる。これにより、イオン化傾向の異なる２種類の金属が指の皮膚に接触していることから、皮膚内に電流を流すことができる。この際、電流は、イオン化傾向の小さい方の金属からイオン化傾向の大きい方の金属へ向けて流れる。なお、この電流は、人が感じることができないほどの微電流である。
【００１２】
従って、本発明に係る健康具を指に嵌めることで、指の皮膚内に電流を流すことができる。これにより、指を通る経絡が電流により刺激され、経絡に対応する身体の箇所の疾病を治療することができる。このような構成の健康具は、筒状に形成されているので、足または手の指に容易に嵌めることができる。また、健康具は、筒状に形成されているので、足または手の指に着脱可能であり、繰り返し使用することができる。
【００１３】
また、本発明に係る健康具によれば、イオン化傾向の異なる２種類の金属を混合した液状の合成樹脂を硬化させて筒状に形成する際、前述した２種類の金属が合成樹脂に体積比で２０〜４０％混合されているので、容易に筒状に形成することができる。
【００１４】
また、本発明に係る健康具によれば、イオン化傾向の異なる２種類の金属の内の一方の金属と他方の金属との体積比が１：１であるので、指の皮膚内に電流を効果的に流すことができる。
【００１５】
さらに、本発明に係る健康具によれば、軸方向両端部が厚肉に形成されているので、軸方向へ裂けるのを抑制することができる。
【図面の簡単な説明】
【００１６】
【図１】本発明の健康具の一実施例を示す斜視図である。
【図２】図１の健康具の縦断面図である。
【図３】図１の健康具の使用状態を示す平面図であり、足の甲からみた状態を示している。
【発明を実施するための形態】
【００１７】
以下、本発明の健康具の具体的実施例を図面に基づいて詳細に説明する。
【００１８】
図１から図３は、本発明の健康具の一実施例を示す図であり、図１は斜視図、図２は縦断面図、図３は足の甲から見た使用状態を示す平面図である。本実施例の健康具１は、合成樹脂にイオン化傾向の異なる２種類の粒状または粉状の金属を混合して分散させた筒状の樹脂体から構成される。
【００１９】
本実施例では、合成樹脂としてシリコン樹脂が用いられ、２種類の金属として銅とアルミニウムとが用いられている。ここで、イオン化傾向の異なる２種類の金属である銅とアルミニウムとの合計は、合成樹脂であるシリコン樹脂に対して、体積比で２０％混合されている。また、イオン化傾向の異なる２種類の金属の内の一方の金属である銅と他方の金属であるアルミニウムとは、体積比で１：１とされている。
【００２０】
図１から図３に示されるように、健康具１は、短円筒状とされ、軸方向両端部がその他の部分よりも厚肉に形成されている。具体的には、円筒状の筒部２の軸方向両端部に、径方向外側へ延出して円板状の鍔部３が一体形成されている。健康具１の内周面４の表面には、イオン化傾向の異なる２種類の金属の一部が露出している。なお、本実施例では、健康具１は、射出成形により形成される。このようにして、健康具１は、弾性を有する筒状に形成されて、径方向へ伸縮可能とされている。
【００２１】
図３に示されるように、本実施例の健康具１は、たとえば、足の親指５に嵌められる。この際、健康具１は、前述したように伸縮性を有しているので、親指５を適度に締め付ける。これにより、健康具１が親指５から不意に抜け落ちるのを防止することができる。また、健康具１は、親指５を締め付けるので、内周面４を親指５の表面に密着させることができる。これにより、親指５の皮膚に、健康具１の内周面４の表面に露出した銅およびアルミニウムを接触させることができる。
【００２２】
銅およびアルミニウムが親指５の皮膚に接触した状態では、イオン化傾向の小さい方の金属である銅が正極となる一方、イオン化傾向の大きい方の金属であるアルミニウムが負極となり、皮膚の表面の汗などの水分が電解質となる。従って、健康具１を装着することで、皮膚内に電流を流すことができる。この際、電流は、イオン化傾向の小さい方の金属である銅からイオン化傾向の大きい方の金属であるアルミニウムへ向けて流れる。
【００２３】
ところで、足の親指５には、２つの経絡が通っており、具体的には肝経および脾経が通っている。従って、本実施例の健康具１を足の親指５に嵌めることで、肝経および脾経を電流により刺激することができ、肝経および脾経に対応する身体の箇所の疾病を治療することができる。
【００２４】
また、本実施例の健康具１の場合、イオン化傾向の異なる２種類の金属である銅およびアルミニウムの合計が合成樹脂に体積比で２０％混合されているので、射出成形により筒状に成形しやすい。なお、２種類の金属の合計は、合成樹脂に対して体積比で２０〜４０％混合されていればよい。２０％よりも少ない場合には、経絡に対応する身体の箇所の疾病を治療できる程度の電流を流すことができないおそれがある。一方、４０％よりも多い場合には、合成樹脂の割合が少なくなるので、筒状に成形しにくい。すなわち、本実施例の健康具１によれば、身体の疾病を治療できる程度の電流を確実に得ることができつつ、容易に筒状に形成することができる。
【００２５】
また、本実施例の健康具１の場合、イオン化傾向の小さい方の金属である銅と、イオン化傾向の大きい方の金属であるアルミニウムとの割合が体積比で１：１とされているので、親指５の皮膚内に電流を効果的に流すことができる。これにより、経絡を確実に刺激することができ、経絡に対応する身体の箇所の疾病を確実に治療することができる。また、本実施例の健康具１の場合、軸方向両端部が厚肉に形成されているので、径方向へ伸縮させた際に、軸方向へ裂けにくい。
【００２６】
また、本実施例の健康具１の場合、弾性を有する筒状に形成されているので、足の親指５に容易に嵌めることができ、嵌めた後は親指５から抜けにくい。さらに、本実施例の健康具１の場合、弾性を有する筒状に形成されているので、足の親指５に着脱可能であり、繰り返し使用することができて経済的である。
【００２７】
本発明の健康具は、前記実施例の構成に限らず適宜に変更可能である。たとえば、前記実施例では、合成樹脂は、シリコン樹脂とされたが、アクリル樹脂などのその他の合成樹脂であってもよい。また、前記実施例では、イオン化傾向の異なる２種類の金属として、銅とアルミニウムとを用いたが、これに限定されるものではなく、他の組み合わせであってもよい。また、前記実施例では、足の親指５に装着されたが、足のその他の指に装着してもよいし、手の指に装着してもよい。この場合、健康具１が装着された指を通る経絡を刺激して、その経絡に対応する身体の箇所の疾病を治療することができる。さらに、前記実施例では、足の親指５にのみ嵌められたが、足の指において、互いに隣接する指にそれぞれ健康具１を嵌めてもよい。この場合、健康具１を装着中、隣接する健康具１同士が接触することで、それぞれの健康具１がねじれるのを抑制することができる。
【産業上の利用可能性】
【００２８】
本発明は、足または手の指に装着される健康具であって、金属間のイオン化傾向の差により生じる電流を用いて経絡を刺激することができる健康具に好適に適用される。
【符号の説明】
【００２９】
１  健康具
２  筒部
３  鍔部
【図１】
2017176259.tif 000003
【図２】
2017176259.tif 000004
【図３】
2017176259.tif 000005